(57)【要約】弾丸送り経路と銃本体に装備される他の構成部分とが並行する構成を取る模擬銃において、小型銃であっても、無理なく原型を保ってモデル化することができるようにする。また、マガジンの交換の際に銃から弾丸がこぼれ落ちるのを防止する。  銃本体に装備される、マガジン内部の弾丸を銃本体の装弾部に供給する弾丸送り経路を有し、かつ、上記弾丸送り経路と銃本体に装備される他の構成部分とが並行する構成を有する模擬銃において、マガジン３３から装弾部２８ａに弾丸を供給する弾丸送り経路４１Ａと、銃本体に装備される他の構成部分４１Ｂとを、銃本体内部にて、ほぼ左右に並べて配置し、弾丸送り経路から押し出された弾丸を供給する装弾部の弾丸入口２８ｂを、装弾部の左右何れかへずれた側方の位置に開口した構成を具備するものとする。
2008114463.tif 000002
【特許請求の範囲】
【請求項１】
銃本体に装備される、マガジン内部の弾丸を銃本体の装弾部に供給する弾丸送り経路を有し、かつ、上記弾丸送り経路と銃本体に装備される他の構成部分とが並行する構成を有する模擬銃において、
マガジンから装弾部へ弾丸を供給する弾丸送り経路と、銃本体に装備される他の構成部分とを、銃本体内部にて、ほぼ左右に並べて配置し、
弾丸送り経路から押し出された弾丸を供給する装弾部の弾丸入口を、装弾部の左右何れかへずれた側方の位置に開口したことを特徴とする模擬銃における側方給弾装置。
【請求項２】
マガジンの弾丸出口が、銃本体内の弾丸送り経路に対して、左右何れかへずれた側方に位置しており、上記弾丸出口から弾丸送り経路へ、弾丸の送りを誘導する誘導部材を、マガジンの弾丸出口に通じる弾丸送り経路に対して出没可能に設けた構成を有する請求項１記載の模擬銃における側方給弾装置。
【請求項３】
弾丸が発射される銃身の後端部に位置する装弾部と、装弾部の後方に位置し弾丸に対して圧縮エアを噴射するピストン装置と、上記銃身ないしピストン装置の下部、かつ、左右何れか一側方に配置され、上記装弾部に対して下部側方から弾丸を供給する弾丸送り経路と、上記銃身ないしピストン装置の下部、かつ、左右何れか他側方に配置され、上記ピストン装置に対して下部側方から係合及び離脱可能に設けられたトリガー部材と、を具備して構成された請求項１記載の模擬銃における側方給弾装置。
【発明の詳細な説明】
【技術分野】
【０００１】
本発明は、銃本体に装備される、マガジン内部の弾丸を銃本体の装弾部に供給する弾丸送り経路を有し、かつ、上記弾丸送り経路と銃本体に装備される、他の構成部分とが並行する構成を有する模擬銃における側方給弾装置に関するものである。
【背景技術】
【０００２】
例えばエアソフトガンであるとか、遊戯銃などとも呼ばれる銃は、一定の規格に従って製造された、ＢＢ弾などと通称される球形の弾丸を使用するもので、このタイプの銃には、補充用の弾丸をこめたマガジン（弾倉）を着脱式に設けたものとそうでないものとがある。マガジンをグリップの部分に装着するタイプの銃はごく普通に見られるが、グリップ位置つまりマガジン位置と、銃身後部の装弾部との間は離れており、弾丸は、マガジンから銃身後部の装弾部へ弾丸送り経路を通じて送られることになる。このマガジンから銃身後部にかけての部分は、いわゆる機関部として、引き金やピストン装置及びそれらを連繋操作するための機構などが密集している部分である。このため、小型の拳銃などをモデルとする模擬銃では、原型のプロポーションを崩さずに、内部機構を組み込むことが不可能ということが起こる。
原型のプロポーションを崩さずに、内部機構を組み込むことが要求される模擬銃では、上記弾丸送り経路と銃本体に装備される他の構成部分とが並行する構成を取ることも少なくない。しかし、多くの場合は外形を目立たない程度に変更するような措置を講じて、モデル化を行なってきた。しかし、小型の拳銃では銃身が短く、マガジンや機関部は余り小型化できないために、上記のような措置を講じても、なお問題が起こり得ると考えられる。また、模擬銃は、実銃と比較して構造が複雑であることも、原型を再現する妨げになっていると考えられる。こうした事情を考慮して、各種の銃の形態と構造を検討したところ、一般的に、銃の幅（厚み）よりも上下方向の寸法により制約を受けることが判明した。なお、模擬銃は実銃のように強固な構造を必要とせず、弾丸が球形であることから、弾丸の送りについては、実弾の送りよりも自由が利く。
また、マガジン着脱式の銃では、マガジンを銃本体から取り外したとときに、弾丸送り経路に残っている弾丸がこぼれ落ちることを避け得なかった。個々の銃からこぼれ落ちる弾丸の数は大きいものではないが、使用者がマガジンを脱着するたびにこぼれ落ちる弾丸の数の合計は夥しい量と考えられる。これを放置することは、弾丸の多くが非生分解性プラスチックから成ることを考慮すると、やがては環境破壊にもつながることであるので、メーカーとしても何らかの対策を講じるべきであると判断し、本発明の創作にも反映させることにした。
【発明の開示】
【発明が解決しようとする課題】
【０００３】
本発明は前記の事情に基づいてなされたもので、その課題は、弾丸送り経路と銃本体に装備される他の構成部分とが並行する構成を取る模擬銃において、小型銃であっても、無理なく原型を保ってモデル化することができるようにすることである。また本発明の他の課題は、マガジンの交換の際に銃から弾丸がこぼれ落ちるのを防止可能な機能を併せ備える模擬銃における側方給弾装置を提供することである。
【課題を解決するための手段】
【０００４】
前記の課題を解決するため、本発明は、銃本体に装備されるマガジン内部の弾丸を、銃本体の装弾部に供給する弾丸送り経路を有し、上記弾丸送り経路と銃本体に装備される他の構成部分とが並行する構成を取る模擬銃において、
マガジンから装弾部へ至る弾丸送り経路と、銃本体に装備される他の構成部分とを、銃本体内部にて、ほぼ左右に並べて配置し、
弾丸送り経路から押し出された弾丸を受け入れる装弾部の弾丸入口を、装弾部の左右何れかへずれた側方の位置に開口した構成とするという手段を講じたものである（請求項１記載の発明）。
本発明に係る側方給弾装置を適用する模擬銃は、銃本体に装備されるマガジン内部の弾丸を、銃本体の装弾部に供給する弾丸送り経路を有し、上記弾丸送り経路と銃本体に装備される他の構成部分とが並行する構成を取るものであることを前提とする。ここで並行とは、数学における平行というよりも、並んでいるという程度の意味であり、並んでいるのは一部でも全部でもどちらでも良い。上記弾丸送り経路と他の構成部分とが並行する構成を取るために、上下に配置すると原形のプロポーションを保てないことになる銃であっても、本発明によれば、原形のプロポーションを保ってモデル化した模擬銃を実現することができる。なお、本発明において使用している模擬銃とは、殺傷を目的とした銃すなわち実銃に対して、殺傷を目的としない銃を意味する。
本発明では、マガジンから装弾部へ至る弾丸送り経路と、銃本体に装備される他の構成部分とを、銃本体内部にて、ほぼ左右に並べて配置する。弾丸送り経路の幅は、弾丸の直径によって決まり、従って、模擬銃の幅（厚み）から、弾丸の直径と弾丸送り経路の肉厚及び必要な隙間を差し引いた数値を、他の構成部分の厚みとして利用できることとなる。本発明において想定している弾丸の直径は６ｍｍが標準であるので、ほぼあらゆるタイプの銃のモデル化が可能と判断される。
上記の構成において、弾丸送り経路から押し出された弾丸を供給する装弾部の弾丸入口を、装弾部の左右何れかへずれた側方の位置に開口した構成とする。装弾部の左右何れかへずれた側方とは、装弾部の中心に対して、弾丸入口が、左右どちらかにずれている、ということである。多くの場合、弾丸送り経路は、装弾部に対して下方に位置しているか、或いはまれには上方に位置しているので、装弾部の弾丸入口の位置は、左右斜め下方或いは左右斜め上方ということになる。
また、銃本体に装備されているマガジンは、銃本体内の上記弾丸送り経路に対して、マガジンの弾丸出口が、左右何れかへずれた側方に位置しており、上記弾丸出口から弾丸送り経路へ、弾丸の送りを誘導する誘導部材を、マガジンの弾丸出口に通じる弾丸送り経路に対して出没可能に設けるという構成を取ることができる（請求項２記載の発明）。これは、マガジンは装弾部と同様に銃本体の中心線とほぼ一致した位置にあるが、その結果相対的に弾丸送り経路に対してずれることになる構成である。上記誘導部材はマガジンの弾丸出口に通じる弾丸送り経路に対して出没可能であることにより、マガジンを銃本体から取り外したとときに、弾丸送り経路に残っている弾丸がこぼれ落ちることを防止する手段を兼ねる。
本発明に係る模擬銃の一つの典型的な構成は、弾丸が発射される銃身の後端部に位置する装弾部と、装弾部の後方に位置し弾丸に対して圧縮エアを噴射するピストン装置と、上記銃身ないしピストン装置の下部、かつ、左右何れか一側方に配置され、上記装弾部に対して下部側方から弾丸を供給する弾丸送り経路と、上記銃身ないしピストン装置の下部、かつ、左右何れか他側方に配置され、上記ピストン装置に対して下部側方から係合及び離脱可能に設けられたトリガー部材とを具備する構成である（請求項３記載の発明）。この構成は、後述する実施形態に記載されているものと一致するが、しかし、これ以外の構成でも請求項１の要件を満たすものであれば本発明に含まれることは明らかである。
本発明に係る側方給弾装置では、銃本体に装備される他の構成部分として、例えば、駆動部における発射操作に伴ってピストン装置のピストンを後退させるために、上記ピストン側の係合部と係合し、かつ、上記係合から脱してピストンを前進させる、係合相手部を有するトリガー部材を具備する。トリガー部材は、ピストンの前進後退方向へ移動可能、かつ、上記係合部から係合相手部が脱する方向へ移動可能に銃本体に設けられ、駆動部における発射操作に伴う動きをピストンに伝達して後退させるもので、そのためにピストン側に係合部、トリガー部材側には係合相手部を設け、ピストンを後退させるときには係合部と係合相手部とが係合し、ピストンを前進させるときには係合部と係合相手部との係合を脱しさせる。
【図面の簡単な説明】
【０００５】
【図１】本発明に係る模擬銃における側方給弾装置の一例を示す内部側面図である。
【図２】同上の側方給弾装置と併設するピストン装置を示す内部側面図である。
【図３】図１のＩＩＩ−ＩＩＩ線断面図である。
【図４】安全装置の周辺部分を分解して示す銃本体左側の内側面図である。
【図５】銃本体の左半分を示す内側面図である。
【図６】銃本体の右半分を示す内側面図である。
【図７】マガジンをマガジン収納部に挿入する状態を示す説明図である。
【図８】Ａは、ＢにおけるＶＩＩＩ−ＶＩＩＩ線部分の断面図、Ｂはマガジンの側面図である。
【図９】本発明に係る模擬銃における側方給弾装置の作動工程を示す説明図である。
【発明を実施するための最良の形態】
【０００６】
以下図示の実施形態を参照して本発明をより詳細に説明する。図１は本発明に係る模擬銃における側方給弾装置１０の一例を示すもので、例示の銃は、引き金を引くことでピストンが手動で駆動され、圧縮エアが噴射される構造を持つ、年少者を対象とした手動式の銃である。図１には、銃本体内にて並行する構成の内の弾丸送り経路４１Ａを表しており、図２には他の構成部分としてのトリガー部材１５の組み込み部分４１Ｂを表している。図から明らかなように、弾丸送り経路４１Ａと組み込み部分４１Ｂとは、左右に並んで平行に配置されている（図３参照）。各図において、１１は銃本体を示しており、例示のものは、手動式の銃の駆動部として引き金１２を具備している。
例示されている銃は駆動部として、銃本体１１の前後方向へ移動可能に設けられた引き金１２を有する引き金側部分１３と、その引き金側部分１３に取り付けられた揺動部１４を有している。上記引き金側部分１３は、銃本体１１に用意された組み込み部分４１Ｂに、ピストンと同じく前後方向へ移動可能に組み込まれるもので、引き金側部分１３のやや後方の軸部１４ａにて、上記揺動部１４がシーソーのように揺動可能に軸支されており、これらの引き金側部分１３と揺動部１４は、トリガー部材１５を構成する（図２）。上記揺動部１４は、銃本体１１との間に設けた戻しばね１６によって前方に付勢されている。トリガー部材１５は、引き金１２を引く操作により、上記の付勢力に抗して後退すると、それにつれて揺動、傾斜し、係合部２７から脱する係合相手部１７を有するとともに、ガイドローラー１８を後部に有し、上記ガイドローラー１８を、後下方へ傾斜させて銃本体１１に形成したガイド部１９に配置して、上記係合部２７からの脱出を誘導するという構成を有している。１９ａは、ガイド部前端部の凹部を示す。
本発明に係る側方給弾装置１０を適用した模擬銃は、銃本体１１に装備されている駆動部における発射操作に伴って後退するピストン２１を有するピストン装置２２を具備している。上記ピストン装置２２は、本体内の収容部２０において上部の前後方向に配置されたシリンダー２３と、その内部を摺動可能な上記ピストン２１を有し、また、ピストン２１を駆動してシリンダー先端部のノズル２４から圧縮エアを噴射するための弾発手段２５として、コイルスプリングをピストン装置設置部後壁との間にて圧縮可能に配置している。また、２６はピストンカップであり、ピストン先端２１ａに取り付けてシリンダー内面に対するシール性を高めている。
そして、ピストン２１は、トリガー部材１５の係合相手部１７と係合するピストン側の部分として係合部２７を具備している。例示の係合部２７は、ピストン２１の側壁部分に、上方への凹状部分として形成されており、下方から立ち上がる係合相手部１７に対して係合可能及び離脱可能に構成されている。係合相手部１７の前面上部１７ａと、係合部２７の後面下部２７ａは、係合相手部１７が後方から係合部２７に係合するのを助けるために、前下方へ傾斜した形状に形成されている。係合部２７を、ピストン２１の側壁部分に設けることは、前記トリガー部材１５の組み込み部分４１Ｂが、弾丸送り径路４１Ａとともにほぼ左右に並んで設けられる構成に対応しており、別の係合部材を必要としないので構成の合理化に寄与する。
銃本体１１の内部において、ピストン装置設置部前方には、装弾部２８ａを有する装弾筒２８が前進後退可能に配置されており、装弾筒２８は銃身２９の後部に設けられ一体に前後に移動可能である。弾丸送り経路４１Ａは、装弾筒２８の側方を向いた弾丸入口２８ｂに接続されている。引き金側部分１３の前端には、銃身２９の前端部に摺接可能な枠部３０が銃身２９の位置決めのために設けられており、また、この枠部３０は、銃身２９の後退時に装弾筒２８の係合部２８ｃを押し、後方へ移動させる。３１はホップアップ部材であり、装弾部前方に設けられている。
本発明に係る側方給弾装置１０を適用した模擬銃は、弾丸３２を供給するために、銃本体グリップ部のマガジン収納部３４に、着脱可能に取り付けられるマガジン３３を有している。マガジン３３は、内部にほぼＵ字状に設けられた弾丸収納部３５を有し、上記弾丸収納部３５には、ほぼＵ字状の形態を取り得るコイルばねが、弾丸３２を押圧する弾性体３６として装備されている。弾性体３６は、先端側にて弾丸３２をマガジン３３の弾丸出口から弾丸送り経路４１Ａの方向へ押す位置に配置し、基端側はマガジンの壁面などに支えられる。３７は弾性体先端の弾丸押圧部、３８は弾性体基端のばね受部である。
弾性体３６の基端側にて、その弾性力をトリガー部材１５の付勢に利用可能にするために、マガジン３３の対応部分を開口し、そこにばね受部３８の突起３８ａで押され、マガジン３３の外方へ突き出し得る加圧部材４０を設けている。加圧部材４０は、その後方の部分４０ａでマガジン３３に回転可能に軸支され、また、その前方の部分４０ｂにてマガジン３３に設けられている弧状溝３８ｂの範囲で上下動可能とされ、トリガー部材１５の揺動部１４の下部に設けられた突起３９に接して、係合部２７と係合相手部１７が係合する方向へ付勢力を及ぼしているものである。
マガジン３３の先端部には、弾丸出口３３ａが、図８に示されているように側方の弾丸送り経路４１Ａに向けて斜め上方に設けられており、また、その弾丸出口３３ａを構成するマガジン３３の壁面部分には、側方へ向けて切り欠き部４２が形成され、そこに、上記弾丸出口３３ａから弾丸送り経路４１Ａへ、弾丸の送りを誘導する誘導部材４３が出没可能に装備されている（図４及び図７参照）。この誘導部材４３は、マガジン３３を銃本体１１から取り外したときに、弾丸送り径路４１に残存している弾丸３２がこぼれ落ちるのを防止するストッパーの役割も併せ持っており、そのために、上記弾丸送り径路４１Ａにつながる弾丸出口３３ａに対して、側方から出没可能に設けられている。故に、誘導部材４３は、マガジン３３と弾丸送り径路４１Ａの境界に位置するということができ、その位置において、斜め上方の弾丸送り径路４１Ａへ横向きに弾丸３２を送り込めるように、ばね４４により付勢される。
例示の弾丸送り経路４１Ａは、図１、図２及び図３から明らかなように、装弾部２８ａの下部、かつ、左方に位置し、銃本体１１に装備された他の構成部分であるトリガー部材１５の組み込み部分４１Ｂは、装弾部２８ａの下部、かつ、右方に位置し、弾丸送り経路４１Ａと組み込み部分４１Ｂは完全に並行している。従って本発明における模擬銃は、弾丸３２が発射される銃身２９の後端部に位置している装弾部２８ａと、装弾部２８ａの後方に位置し弾丸３２に対して圧縮エアを噴射するピストン装置２２と、上記銃身ないしピストン装置の下部、かつ、左側方に配置され、上記装弾部２８ａに対して下部側方から弾丸を供給する弾丸送り経路４１Ａと、上記銃身ないしピストン装置の下部、かつ、右側方に配置され、上記ピストン装置２２に対して下部側方から係合及び離脱可能に設けられたトリガー部材等を具備することになる。
図７、図８に、マガジン３３と、マガジン収納部３４及び弾丸送り経路４１Ａの詳細を示す。マガジン収納部３４の内奥には前記の誘導部材４３が支軸４３ａにより回転可能に軸支され、ばね４４により弾丸送り経路４１Ａの方向へ付勢されている。一方、マガジン３３の弾丸出口３３ａの直前には、マガジン内部から押し出される先端の弾丸３２を軽く受け止める引っ掛かり３３ｂが形成されている。
このように構成された本発明に係る側方給弾装置１０を適用する模擬銃は、図９に示すように作動する。図９の▲１▼は、銃本体１１において、弾丸出口３３ａから弾丸送り経路４１Ａそして装弾部２８ａに弾丸３２が溜まっており、かつ、誘導部材４３をストッパーとして弾丸３２が停止しており、そこに、マガジン３３を差し込みつつある状態を示している。マガジン３３を完全に差し込むと、誘導部材４３は、弾性体３６の付勢力により押し出されるマガジン先端の弾丸３２によって押され、ばね４４の付勢力に抗して回転し、弾丸３２は「引っ掛かり」から外れ、誘導部材４３を斜め上方へのガイドとして弾丸出口３３ａから弾丸送り経路４１Ａへ押し出されるようになる（図９の▲２▼）。上記のように弾丸３２が溜まっていなくても、マガジン３３装着により、内部の弾性体３６の付勢力により押し出される弾丸３２によって、誘導部材４３が押し開かれ、弾丸送り経路４１Ａから装弾部２８ａまで弾丸３２が充填される。このような弾丸充填状態では、引き金１２を引くことにより、ピストン装置２１を作動させ、弾丸３２を発射することができる。
マガジン３３を銃本体１１から取り外したときには、弾丸３２は、マガジン内部の引っ掛かり３３ｂに掛かり、それに対して弾性体３６による押し上げ力が加わらなくなると、誘導部材４３は、ばね４４の付勢力によって、切り欠き４２内へ戻ろうとする（図９の▲３▼）。この戻ろうとする誘導部材４３は、弾丸送り経路４１Ａ内にある最終の弾丸３２を押さえ付けることになるので、弾丸３２はこぼれ落ちずに、マガジン３３だけを取り外すことができる（図９の▲４▼）。また、弾丸３２を打ち尽くした場合には、マガジン３３内の弾性体３６による付勢力を受けなくなるので、誘導部材４３は、ばね４４によって切り欠き４２内方向へ戻ろうとする（図９の▲５▼）。従って、最終の弾丸３２は誘導部材４３によって押さえ付けられ、弾丸３２をこぼし落とすことなくマガジン３３を取り外し得るものである（図９の６）。
なお、弾丸３２の装弾部２８ａへの装填は、銃身２９の前進により弾丸入口２８ｂが開口したときに行われる。弾丸３２が弾丸送り経路４１Ａに残っている状態では、引き金操作により発射される可能性があるが、それは、装弾部２８ａに配置されている場合だけである。マガジン内の弾性体３６による押出し力を受けない状態では、弾丸３２が装弾部２８ａに装填されることがないから、弾丸３２が弾丸送り経路４１Ａに残っていても、発射されることはない。また、マガジン３３を銃本体１１から取り外した場合には、マガジン内の弾性体３６の付勢力を利用する、係合部２７と係合相手部１７の係合が成立しないので、引き金１２の操作をしてもピストン装置２２が作動せず、従って、弾丸３２が発射されることはない。
本発明以上の如く構成されかつ作用するものであるから、弾丸送り経路と銃本体に装備される他の構成部分とが並行する構成を取る模擬銃において、小型銃であっても、無理なく原型を保ってモデル化することができるようにすることができる。また本発明によれば、マガジンの交換時などに銃から弾丸がこぼれ落ちるのを防止可能な機能を併せ備える模擬銃における側方給弾装置を提供することができる。
【産業上の利用可能性】
【０００７】
上記のように、本発明に係る模擬銃における側方給弾装置は、模擬銃に関するものであるが、模擬銃の中でも手動式の銃のほか、電動ガンについても利用することができる。
【図３】
2008114463.tif 000003
【図４】
2008114463.tif 000004
【図５】
2008114463.tif 000005
【図６】
2008114463.tif 000006
【図７】
2008114463.tif 000007
【図８】
2008114463.tif 000008
【図９】
2008114463.tif 000009
【図１】
2008114463.tif 000010
【図２】
2008114463.tif 000011
【国際調査報告】
2008114463.tif 000012
2008114463.tif 000013
2008114463.tif 000014
2008114463.tif 000015